(57)【特許請求の範囲】
【請求項１】
同軸ケーブルを含んだ２本のケーブルを撚り合わせてなる撚り型複合ケーブルであって、
同軸ケーブルで送信される高周波信号の帯域が、ｃ・α/２Ｌで示されるＶＳＷＲスパイク発生周波数帯域から外れた位置にあるように、ケーブルの撚りピッチを設定してあることを特徴とする撚り型複合ケーブル。
ｃ：同軸ケーブル中における信号の伝達速度（光速）
α：波長短縮率
Ｌ：ケーブルの撚りピッチ
【請求項２】
同軸ケーブルを含んだ２本のケーブルを撚り合わせてなる撚り型複合ケーブルの製造方法であって、
同軸ケーブルで送信される高周波信号の帯域が、ｃ・α/２Ｌで示されるＶＳＷＲスパイク発生周波数帯域から外れた位置にあるように、ケーブルの撚りピッチを設定してあることを特徴とする撚り型複合ケーブルの製造方法。
ｃ：同軸ケーブル中における信号の伝達速度（光速）
α：波長短縮率
Ｌ：ケーブルの撚りピッチ
【発明の詳細な説明】
【０００１】
【発明の属する技術分野】
本発明は、同軸ケーブルを含んだ複数本のケーブルを撚り合わせてなる撚り型複合ケーブル、およびその製造方法に関する。
【０００２】
【従来の技術】
近年、取扱い性の向上を図る等の目的により、同軸ケーブルを含んだ複数本のケーブルを撚り合わせて撚り型の複合ケーブルを形成し、これを架設することが行われている。
【０００３】
【発明が解決しようとする課題】
上記撚り型複合ケーブルは、その他のケーブルと同様にドラムに巻回して運搬あるいは保管されるのであるが、ドラムに巻回される際に撚られたケーブルがドラムの径方向に配列されてしまう部位においては、ケーブル重量等によって他の部位よりもケーブルに働く側圧が局部的に大きくなって変形が発生し、この変形が残留することで、ドラムから繰出された撚り型複合ケーブルに高周波信号を通した際にＶＳＷＲスパイクが発生し、これがノイズとなって信号精度を劣化させることがある。
【０００４】
このような現象に対処する手段としては、高周波信号の伝達を行う同軸ケーブル自体の側圧に対する耐久性を高めて、ＶＳＷＲスパイクの発生を抑制することが考えられるが、同軸ケーブルを改造することはコストアップを招くとともに、同軸ケーブルの剛性が高いものになって、取扱い性を低下させてしまうことにもなりかねないものであり、実用上には問題が多いものとなる。
【０００５】
そこで、同軸ケーブルを改造することなくＶＳＷＲスパイクの影響を減少するために、ＶＳＷＲスパイクの発生現象を詳細に考察したところ、撚られたケーブルがドラムの径方向に配列されてしまう部位はケーブルの長手方向に沿って周期的に発生し、さらに、前記部位の発生周期に応じた周波数帯にＶＳＷＲスパイクが発生することが確認できた。
【０００６】
本発明は、このような点に着目してなされたものであって、撚りに起因する局部的な側圧増大によって発生するＶＳＷＲスパイクの影響なく良好な送信を行うことができる撚り型複合ケーブルおよびその製造方法を提供することを目的とするものである。
【０００７】
【課題を解決するための手段】
本発明では、上記目的を達成するために、次のように構成している。
【０００８】
すなわち、請求項１に係る発明は、同軸ケーブルを含んだ２本のケーブルを撚り合わせてなる撚り型複合ケーブルであって、同軸ケーブルで送信される高周波信号の帯域が、ｃ・α/２Ｌで示されるＶＳＷＲスパイク発生周波数帯域から外れた位置にあるように、ケーブルの撚りピッチを設定してあることを特徴とする。
ｃ：同軸ケーブル中における信号の伝達速度（光速）
α：波長短縮率
Ｌ：ケーブルの撚りピッチ
【０００９】
上記構成によると、同軸ケーブルにはケーブルの撚りに起因する局部的な側圧によってＶＳＷＲスパイクが発生するが、このスパイクは同軸ケーブルで送信される高周波信号の帯域から外れた周波数帯域にあるために、同軸ケーブルでの送信精度を低下させることはない。
【００１１】
また、上記構成によると、同軸ケーブルで送信される高周波信号の帯域が決まれば、この帯域からできるだけ外れた位置でＶＳＷＲスパイクが発生するようにケーブルの撚りピッチを設定することで、ＶＳＷＲスパイクによる影響を受けることなく送信をおこなうことのできる撚り型複合ケーブルを得ることができる。
【００１２】
請求項２に係る発明は、同軸ケーブルを含んだ２本のケーブルを撚り合わせてなる撚り型複合ケーブルの製造方法であって、同軸ケーブルで送信される高周波信号の帯域が、ｃ・α/２Ｌで示されるＶＳＷＲスパイク発生周波数帯域から外れた位置にあるように、ケーブルの撚りピッチを設定してあることを特徴とする。
ｃ：同軸ケーブル中における信号の伝達速度（光速）
α：波長短縮率
Ｌ：ケーブルの撚りピッチ
【００１３】
この製造方法によると、同軸ケーブルにはケーブルの撚りに起因する局部的な側圧によってＶＳＷＲスパイクが発生するが、このスパイクは同軸ケーブルで送信される高周波信号の帯域から外れた周波数帯域にあるために、ＶＳＷＲスパイクによる影響を受けることのない撚り型複合ケーブルの提供が可能となる。
【００１５】
また、この製造方法によると、同軸ケーブルで送信される高周波信号の帯域が決まれば、この帯域からできるだけ外れた位置でＶＳＷＲスパイクが発生するようにケーブルの撚りピッチを設定することで、ＶＳＷＲスパイクによる影響を受けることのない撚り型複合ケーブルの提供が可能となる。
【００１６】
【発明の実施の形態】
以下、本発明の実施の態様を図面に基づいて説明する。
【００１７】
図１に撚り型複合ケーブルの一部が示されている。この撚り型複合ケーブル１は、２本の同軸ケーブル２，３を所定の撚りピッチＬで撚ったものであり、図２に示すように、ドラム４に巻回されて運搬あるいは保管される。
【００１８】
ここで、前記撚りピッチＬ〔ｍ〕は以下のようにして設定される。
【００１９】
つまり、同軸ケーブル中における信号の伝達速度をｃ〔ｍ/ｓ〕、波長短縮率をαとすると、ＶＳＷＲスパイクが発生する周波数帯域Ａは、Ａ＝ｃ・α/２Ｌとして想定される。
【００２０】
そこで、撚り型同軸ケーブルの製造方法において、同軸ケーブルで送信される高周波信号の帯域が、ＶＳＷＲスパイク発生周波数帯域Ａから十分外れた位置にあるように撚りピッチＬを設定することで、完成した撚り型同軸ケーブルの構造においても、その撚りピッチＬを上述したのと同様に設定する。これにより、ＶＳＷＲスパイクによる影響を受けることなく高周波信号の送信が可能な撚り型複合ケーブルを構成することができるのである。
【００２１】
なお、図４は、撚りピッチＬが０．５２〔ｍ〕、同軸ケーブルの波長短縮率αが０．８６の撚り型複合ケーブルをドラムに巻回して高周波信号を通した場合のＶＳＷＲスパイク発生現象を示す線図であり、２４８ＭＨｚ付近にＶＳＷＲスパイクが発生している。
【００２２】
ここで、上式よりＶＳＷＲスパイク発生周波数帯域Ａを演算すると、
0003711062.tif 000002
となり、実際にＶＳＷＲスパイクが発生している周波数帯域に合致していることが判る。
【００２３】
なお、ＶＳＷＲスパイク発生周波数帯域Ａを算出する上記演算式は、２本のケーブルを撚った撚り型複合ケーブルに適用できるものであるが、３本以上の複合ケーブルについても同様な考えにより撚りピッチを設定することで、ＶＳＷＲスパイクによる影響を受けない高周波信号の送信が可能となる。
【００２４】
また、撚り型複合ケーブルは、複数のケーブルが全て同軸ケーブルであってもよいが、同軸ケーブルと他のケーブル(電源ケーブル等)との組み合わせであってもよい。
【００２５】
【発明の効果】
以上の説明から明らかなように、本発明によれば、撚り型複合ケーブルの撚りピッチを合理的に設定するだけで、ＶＳＷＲスパイクの影響を受けることのない高周波信号の送信が可能な撚り型複合ケーブルおよび送信方法を得ることができるものであり、同軸ケーブル自体にＶＳＷＲスパイクの発生を抑制するための改造を加えるような手段に比して安価に実施することができ、実用上の利便性の高いものである。
【図面の簡単な説明】
【図１】撚り型複合ケーブルの一部を示す斜視図である。
【図２】巻取り状態の撚り型複合ケーブルを示す縦断正面図である。
【図３】ＶＳＷＲスパイクの発生現象を示す線図である。
【符号の説明】
１            撚り型複合ケーブル
２            同軸ケーブル
３            同軸ケーブル
Ａ            ＶＳＷＲスパイク発生周波数帯域
ｃ            同軸ケーブル中における信号の伝達速度
α            同軸ケーブルの波長短縮率
Ｌ            撚りピッチ
【図１】
0003711062.tif 000003
【図２】
0003711062.tif 000004
【図３】
0003711062.tif 000005